(57)【要約】ディスプレイの表示設定を調整する方法が開示される。方法は、周辺光条件を検出するステップと、検出された周辺光条件に対応する記憶された表示設定がメモリに存在するかどうかを判定するステップと、対応する記憶された表示設定が存在しない場合に、対応する記憶された表示設定として表示設定のユーザによる入力を要求するステップと、対応する記憶された表示設定に従ってディスプレイの表示設定を調整するステップとを有する。
2017521691.tif 000002
【特許請求の範囲】
【請求項１】
ディスプレイの表示設定を調整する方法であって、
周辺光条件を検出するステップと、
前記検出された周辺光条件に対応する記憶された表示設定がメモリに存在するかどうかを判定するステップと、
前記対応する記憶された表示設定が存在しない場合に、表示設定のユーザによる入力を前記対応する記憶された表示設定として要求するステップと、
前記対応する記憶された表示設定に従って前記ディスプレイの表示設定を調整するステップと
を有する方法。
【請求項２】
前記入力された表示設定を前記対応する記憶された表示設定として前記メモリに記憶するステップ
を更に有する請求項１に記載の方法。
【請求項３】
前記検出された周辺光条件は、色温度及び光度を含む、
請求項１に記載の方法。
【請求項４】
前記検出された周辺光条件は、ランプのオン／オフステータスを更に含む、
請求項３に記載の方法。
【請求項５】
前記検出された周辺光条件は、前記ディスプレイの裏面で収集された周辺光条件と、前記ディスプレイの前面で収集された周辺光条件とを含む、
請求項３に記載の方法。
【請求項６】
前記検出された周辺光条件は、現在時間を含む、
請求項３に記載の方法。
【請求項７】
前記ユーザが前記要求するステップに応答して表示設定を入力し損なう場合に、当該方法は、前記対応する記憶された表示設定として、予め定義されたルールに従って、表示設定を電子デバイスによって自動的に設定するステップを更に有する、
請求項１に記載の方法。
【請求項８】
前記自動的に設定された表示設定は、前記対応する記憶された表示設定として前記メモリに記憶されず、前記ディスプレイの表示設定を調整するために使用される、
請求項７に記載の方法。
【請求項９】
前記予め定義されたルールは、デフォルトの表示設定を前記対応する記憶された表示設定として使用することである、
請求項７に記載の方法。
【請求項１０】
前記検出された周辺光条件は、前記ディスプレイの前面で収集された条件を含み、
前記前面で収集された前記条件は、第１の色温度を含み、
前記予め定義されたルールは、前記第１の色温度に類似した色温度を有する表示設定を前記対応する記憶された表示設定として使用することである、
請求項７に記載の方法。
【請求項１１】
前記要求するステップは、前記ユーザが表示設定を入力するためのオンスクリーンの表示メニューを表示することを有する、
請求項１に記載の方法。
【請求項１２】
前記オンスクリーンの表示メニューは、デフォルトの表示設定を含む、
請求項１１に記載の方法。
【請求項１３】
周辺光条件を検出するよう構成される検出器と、
前記検出された周辺光条件に対応する記憶された表示設定がメモリに存在するかどうかを判定するよう構成されるプロセッサと
を有し、
前記対応する記憶された表示設定が存在しない場合に、前記プロセッサは、表示設定のユーザによる入力を前記対応する記憶された表示設定として要求するよう構成され、
前記プロセッサは、前記対応する記憶された表示設定に従ってディスプレイの表示設定を調整するよう構成される、
電子デバイス。
【請求項１４】
前記プロセッサは、前記入力された表示設定を前記対応する記憶された表示設定として前記メモリに記憶するよう構成される、
を更に有する請求項１３に記載の電子デバイス。
【請求項１５】
前記検出された周辺光条件は、色温度及び光度を含む、
請求項１３に記載の電子デバイス。
【請求項１６】
前記検出された周辺光条件は、ランプのオン／オフステータスを更に含む、
請求項１５に記載の電子デバイス。
【請求項１７】
前記検出された周辺光条件は、前記ディスプレイの裏面で収集された周辺光条件と、前記ディスプレイの前面で収集された周辺光条件とを含み、
前記検出器は、前記ディスプレイの前記裏面及び前記前面で照明条件を夫々収集するリアカメラ及びフロントカメラを含む、
請求項１５に記載の電子デバイス。
【請求項１８】
前記検出された周辺光条件は、現在時間を含む、
請求項１５に記載の電子デバイス。
【請求項１９】
前記ユーザが前記プロセッサからの要求に応答して表示設定を入力し損なう場合に、前記プロセッサは、前記対応する記憶された表示設定として、予め定義されたルールに従って、表示設定を自動的に設定するよう構成される、
請求項１３に記載の電子デバイス。
【請求項２０】
前記自動的に設定された表示設定は、前記対応する記憶された表示設定として前記メモリに記憶されず、
前記プロセッサは、前記自動的に設定された表示設定を用いて前記ディスプレイの表示設定を調整するよう構成される、
請求項１９に記載の電子デバイス。
【請求項２１】
前記予め定義されたルールは、デフォルトの表示設定を前記対応する記憶された表示設定として使用することである、
請求項１９に記載の電子デバイス。
【請求項２２】
前記検出された周辺光条件は、前記ディスプレイの前面で収集された条件を含み、
前記前面で収集された前記条件は、第１の色温度を含み、
前記予め定義されたルールは、前記第１の色温度に類似した色温度を有する表示設定を前記対応する記憶された表示設定として使用することである、
請求項１９に記載の電子デバイス。
【請求項２３】
前記プロセッサは、オンスクリーンの表示メニューを表示することによって、前記ユーザに表示設定を入力するように要求するよう構成される、
請求項１３に記載の電子デバイス。
【請求項２４】
前記オンスクリーンの表示メニューは、デフォルトの表示設定を含む、
請求項２３に記載の電子デバイス。
【請求項２５】
周辺光条件を検出する検出手段と、
前記検出された周辺光条件に対応する記憶された表示設定がメモリに存在するかどうかを判定する処理手段と
を有し、
前記対応する記憶された表示設定が存在しない場合に、前記処理手段は、表示設定のユーザによる入力を前記対応する記憶された表示設定として要求するよう構成され、
前記処理手段は、前記対応する記憶された表示設定に従ってディスプレイの表示設定を調整するよう構成される、
電子デバイス。
【請求項２６】
前記処理手段は、前記入力された表示設定を前記対応する記憶された表示設定として前記メモリに記憶するよう構成される、
を更に有する請求項２５に記載の電子デバイス。
【請求項２７】
前記検出された周辺光条件は、色温度及び光度を含む、
請求項２５に記載の電子デバイス。
【請求項２８】
前記検出された周辺光条件は、ランプのオン／オフステータスを更に含む、
請求項２７に記載の電子デバイス。
【請求項２９】
前記検出された周辺光条件は、前記ディスプレイの裏面で収集された周辺光条件と、前記ディスプレイの前面で収集された周辺光条件とを含み、
前記検出手段は、前記ディスプレイの前記裏面及び前記前面で照明条件を夫々収集するリアカメラ及びフロントカメラを含む、
請求項２７に記載の電子デバイス。
【請求項３０】
前記検出された周辺光条件は、現在時間を含む、
請求項２７に記載の電子デバイス。
【請求項３１】
前記ユーザが前記処理手段からの要求に応答して表示設定を入力し損なう場合に、前記処理手段は、前記対応する記憶された表示設定として、予め定義されたルールに従って、表示設定を自動的に設定するよう構成される、
請求項２５に記載の電子デバイス。
【請求項３２】
前記自動的に設定された表示設定は、前記対応する記憶された表示設定として前記メモリに記憶されず、
前記処理手段は、前記自動的に設定された表示設定を用いて前記ディスプレイの表示設定を調整するよう構成される、
請求項３１に記載の電子デバイス。
【請求項３３】
前記予め定義されたルールは、デフォルトの表示設定を前記対応する記憶された表示設定として使用することである、
請求項３１に記載の電子デバイス。
【請求項３４】
前記検出された周辺光条件は、前記ディスプレイの前面で収集された条件を含み、
前記前面で収集された前記条件は、第１の色温度を含み、
前記予め定義されたルールは、前記第１の色温度に類似した色温度を有する表示設定を前記対応する記憶された表示設定として使用することである、
請求項３１に記載の電子デバイス。
【請求項３５】
前記処理手段は、オンスクリーンの表示メニューを表示することによって、前記ユーザに表示設定を入力するように要求するよう構成される、
請求項２５に記載の電子デバイス。
【請求項３６】
前記オンスクリーンの表示メニューは、デフォルトの表示設定を含む、
請求項３５に記載の電子デバイス。
【発明の詳細な説明】
【技術分野】
【０００１】
実施形態の本原理は、複数の異なった周辺光条件のための表示設定をユーザが入力できるようにする方法及び装置に概して関係がある。
【背景技術】
【０００２】
テレビ受信機の表示設定は、いかに良くテレビ受信機が機能するかに対して多大な効果を有する。不正確な設定を持った、売りに出されている最良のテレビ受信機は、設定が適切である二流のテレビ受信機よりも悪く見える。しかし、同じ表示設定によれば、見る者は、表示されている画像を、異なった周辺光により異なるように認識する。例えば、テレビ受信機は、店舗では良く見えるが、家で見られる場合に期待はずれであることがある。これは、周辺光条件が異なるからである。周囲の輝度及び色温度に応じてテレビ受像機又はコンピュータモニタのようなディスプレイの明度、コントラスト、及び色温度の画像条件を自動的に調整する技術が知られているが、この技術は、表示設定を選択するための十分な機会をユーザに与えない。更には、周辺光条件を使用する従来の技術は、認知される色品質に相まって影響を及ぼす周辺光条件を正確に反映するには不十分である。そのようなものとして、より良い表示のための自動調整は相当に制限されている。
【０００３】
然るに、周辺光条件のより良い検出、及び異なる周辺光条件のためのテレビ受信機の最良の表示設定を入力する機会をユーザに与えること、の必要性が存在する。
【発明の概要】
【０００４】
本発明の態様に従って、ディスプレイの表示設定を調整する方法が開示される。当該方法は、周辺光条件を検出するステップと、前記検出された周辺光条件に対応する記憶された表示設定がメモリに存在するかどうかを判定するステップと、前記対応する記憶された表示設定が存在しない場合に、表示設定のユーザによる入力を前記対応する記憶された表示設定として要求するステップと、前記対応する記憶された表示設定に従って前記ディスプレイの表示設定を調整するステップとを有する。
【０００５】
一実施形態において、当該方法は、前記入力された表示設定を前記対応する記憶された表示設定として前記メモリに記憶するステップを更に有する。
【０００６】
他の実施形態において、前記検出された周辺光条件は、色温度及び光度を含む。前記検出された周辺光条件は、前記ディスプレイの裏面で収集された周辺光条件と、前記ディスプレイの前面で収集された周辺光条件とを含んでよい。
【０００７】
他の実施形態において、前記検出された周辺光条件は、ランプのオン／オフステータスを更に含む。前記検出された周辺光条件は、現在時間を含んでよい。
【０００８】
更なる他の実施形態において、前記ユーザが前記要求するステップに応答して表示設定を入力し損なう場合に、当該方法は、前記対応する記憶された表示設定として、予め定義されたルールに従って、表示設定を電子デバイスによって自動的に設定するステップを更に有する。前記自動的に設定された表示設定は、前記対応する記憶された表示設定として前記メモリに記憶されなくてよく、前記ディスプレイの表示設定を調整するために使用される。前記予め定義されたルールは、デフォルトの表示設定を前記対応する記憶された表示設定として使用することであってよい。他の実施形態において、前記検出された周辺光条件は、前記ディスプレイの前面で収集された条件を含み、前記前面で収集された前記条件は、第１の色温度を含み、前記予め定義されたルールは、前記第１の色温度に類似した色温度を有する表示設定を前記対応する記憶された表示設定として使用することである。
【０００９】
更なる他の実施形態において、前記要求するステップは、前記ユーザが表示設定を入力するためのオンスクリーンの表示メニューを表示することを有する。前記オンスクリーンの表示メニューは、デフォルトの表示設定を含んでよい。
【００１０】
本発明の他の態様に従って、電子デバイスが開示される。当該電子デバイスは、周辺光条件を検出するよう構成される検出器と、前記検出された周辺光条件に対応する記憶された表示設定がメモリに存在するかどうかを判定するよう構成されるプロセッサとを有し、前記対応する記憶された表示設定が存在しない場合に、前記プロセッサは、表示設定のユーザによる入力を前記対応する記憶された表示設定として要求するよう構成され、前記プロセッサは、前記対応する記憶された表示設定に従ってディスプレイの表示設定を調整するよう構成される。
【００１１】
一実施形態において、前記プロセッサは、前記入力された表示設定を前記対応する記憶された表示設定として前記メモリに記憶するよう構成される。
【００１２】
他の実施形態において、前記検出された周辺光条件は、色温度及び光度を含む。前記検出された周辺光条件は、前記ディスプレイの裏面で収集された周辺光条件と、前記ディスプレイの前面で収集された周辺光条件とを含んでよく、前記検出器は、前記ディスプレイの前記裏面及び前記前面で照明条件を夫々収集するリアカメラ及びフロントカメラを含む。
【００１３】
他の実施形態において、前記検出された周辺光条件は、ランプのオン／オフステータスを更に含む。前記検出された周辺光条件は、現在時間を含んでよい。
【００１４】
更なる他の実施形態において、前記ユーザが前記プロセッサからの要求に応答して表示設定を入力し損なう場合に、前記プロセッサは、前記対応する記憶された表示設定として、予め定義されたルールに従って、表示設定を自動的に設定するよう構成される。前記自動的に設定された表示設定は、前記対応する記憶された表示設定として前記メモリに記憶されなくてよく、前記プロセッサは、前記自動的に設定された表示設定を用いて前記ディスプレイの表示設定を調整するよう構成される。前記予め定義されたルールは、デフォルトの表示設定を前記対応する記憶された表示設定として使用することであってよい。他の実施形態において、前記検出された周辺光条件は、前記ディスプレイの前面で収集された条件を含み、前記前面で収集された前記条件は、第１の色温度を含み、前記予め定義されたルールは、前記第１の色温度に類似した色温度を有する表示設定を前記対応する記憶された表示設定として使用することである。
【００１５】
更なる他の実施形態において、前記プロセッサは、オンスクリーンの表示メニューを表示することによって、前記ユーザに表示設定を入力するように要求するよう構成される。前記オンスクリーンの表示メニューは、デフォルトの表示設定を含んでよい。
【００１６】
本発明の他の態様に従って、電子デバイスが開示される。当該電子デバイスは、周辺光条件を検出する検出手段と、前記検出された周辺光条件に対応する記憶された表示設定がメモリに存在するかどうかを判定する処理手段とを有し、前記対応する記憶された表示設定が存在しない場合に、前記処理手段は、表示設定のユーザによる入力を前記対応する記憶された表示設定として要求するよう構成され、前記処理手段は、前記対応する記憶された表示設定に従ってディスプレイの表示設定を調整するよう構成される。
【００１７】
一実施形態において、前記処理手段は、前記入力された表示設定を前記対応する記憶された表示設定として前記メモリに記憶するよう構成される。
【００１８】
他の実施形態において、前記検出された周辺光条件は、色温度及び光度を含む。前記検出された周辺光条件は、前記ディスプレイの裏面で収集された周辺光条件と、前記ディスプレイの前面で収集された周辺光条件とを含んでよく、前記検出手段は、前記ディスプレイの前記裏面及び前記前面で照明条件を夫々収集するリアカメラ及びフロントカメラを含む。
【００１９】
他の実施形態において、前記検出された周辺光条件は、ランプのオン／オフステータスを更に含む。前記検出された周辺光条件は、現在時間を含んでよい。
【００２０】
更なる他の実施形態において、前記ユーザが前記処理手段からの要求に応答して表示設定を入力し損なう場合に、前記処理手段は、前記対応する記憶された表示設定として、予め定義されたルールに従って、表示設定を自動的に設定するよう構成される。前記自動的に設定された表示設定は、前記対応する記憶された表示設定として前記メモリに記憶されなくてよく、前記処理手段は、前記自動的に設定された表示設定を用いて前記ディスプレイの表示設定を調整するよう構成される。前記予め定義されたルールは、デフォルトの表示設定を前記対応する記憶された表示設定として使用することであってよい。他の実施形態において、前記検出された周辺光条件は、前記ディスプレイの前面で収集された条件を含み、前記前面で収集された前記条件は、第１の色温度を含み、前記予め定義されたルールは、前記第１の色温度に類似した色温度を有する表示設定を前記対応する記憶された表示設定として使用することである。
【００２１】
更なる他の実施形態において、前記処理手段は、オンスクリーンの表示メニューを表示することによって、前記ユーザに表示設定を入力するように要求するよう構成される。前記オンスクリーンの表示メニューは、デフォルトの表示設定を含んでよい。
【００２２】
本発明の例となる実施形態の上記の概要は、本願で提示される発明概念の一例にすぎず、いかなる方法によっても本発明の適用範囲を制限するよう意図されない。
【図面の簡単な説明】
【００２３】
添付の図面とともに検討される本発明の実施形態の以下の説明を参照して、本発明の上記及び他の特徴及び利点並びにそれらを実現する様態は明らかになるだろうし、本発明はより良く理解されるだろう。
【図１】本発明の例となる実施形態に従う電子デバイスを示す。
【図２】本発明の例となる実施形態に従う図１の電子デバイスのブロック図である。
【図３】本発明の実施形態の原理に従って、周辺光条件に応じてディスプレイの表示設定を調整する、例となるプロセス３００を示す。
【図４】フロント周辺光条件を含む周辺光条件の例を示す。
【図５】フロント及びリア周辺光条件を含む周辺光条件の例を示す。
【図６】フロント及びリア周辺光条件、室内灯の状態、窓の状態、及び時間を含む周辺光条件の例を示す。
【図７】ユーザが表示設定を入力するためのメニューの例を示す。  本願で挙げられている例示は、本発明の好適な実施形態を表し、そのような例示は、いかなる方法によっても本発明の適用範囲を制限するものとして解釈されるべきではない。
【発明を実施するための形態】
【００２４】
これより図面を、特に図１を参照すると、本発明を実施するのに適した、例となる環境１００が示されている。図１で示されるように、環境１００は、ユーザ入力デバイス１０及び電子デバイス２０を有する。電子デバイス２０は、ブロードキャスト信号を受信し、ブロードキャスト信号を復号し、復号された信号を再生のためにディスプレイ３０へ送信するためにチャネルに合わせることと、ブロードキャスト信号を記録することと、記録されたブロードキャスト信号又は電子デバイス２０に接続されている記憶デバイス（例えば、制限なしに、ＣＤ、ＤＶＤ、ブルーレイディスク、ローカルハードディスク、又はネットワークストレージ）に記録されている信号を再生することとが可能である。電子デバイス２０は、記録された信号を、電子デバイス２０に接続されている他の再生デバイスから再生することもできる。例となる実施形態に従って、電子デバイス２０は、表示デバイスを組み込まれていないテレビジョン信号受信機（例えば、セットトップボックス、ビデオカセットレコーダ（ＶＣＲ）、パーソナルビデオレコーダ（ＰＶＲ）、ハードディスクレコーダ（ＨＤＲ）、デジタルビデオレコーダ（ＤＶＲ）、ブルーレイプレイヤー、パーソナルコンピュータ（ＰＣ）、タブレット、携帯電話機、ストリームメディア受信機、など）として具現されるが、テレビ受像機又はモニタのような、表示デバイスと一体化されている装置又はデバイスとして具現されてよい。そのようなものとして、テレビジョン信号受信機は、電子デバイス２０及びディスプレイ３０の組み合わせであってよい。多くのテレビ受像機は、電子デバイス２０及びディスプレイ３０の機能を含む。
【００２５】
ユーザ入力デバイス１０は、電子デバイス２０及び／又は他のデバイス（例えば、ディスプレイ３０）の動作を制御する制御信号を生成し出力するよう作動するか、又はそのように構成される。例となる実施形態に従って、ユーザ入力デバイス１０は、複数の入力キーを含み、その入力キーのユーザによる押下に応答して有線及び／又は無線で（例えば、赤外線若しくは無線周波数（ＲＦ）リンク、などを介して）制御信号を出力する。ユーザ入力デバイス１０は、例えば、手持ち式のリモートコントロールデバイス、有線及び／又は無線キーボード、電子デバイス２０の組み込み型制御パネル、及び／又は他のユーザ入力デバイスとして具現されてよい。
【００２６】
電子デバイス２０は、一種類以上のアナログ変調（例えば、ＮＴＳＣ、ＰＡＬ、ＳＥＣＡＭ、など）及び一種類以上のデジタル変調（例えば、ＱＰＳＫ、ＱＡＭ、ＶＳＢ、など）を有するオーディオ、ビデオ及び／又はデータ信号を含む信号を、ケーブル、地上、衛星、インターネット及び他の信号源のような１つ以上のブロードキャスト源から受信するよう、且つ、それらの受信された信号に対応する視聴覚的な及び／又はもっぱら視覚的な出力を提供するよう作動するか、又はそのように構成される。
【００２７】
電子デバイス２０は、即時、時間シフト及びタイマ記録を可能にするよう作動するか、又はそのように構成される。時間シフト記録は、後で見るためにブロードキャスト信号を記録するよう一時的に使用されるシステムであり、即時記録は、即座の記録のためのシステムであり、タイマ記録は、メディアコンテンツの予め定義された後の記録のために使用されるシステムである。
【００２８】
電子デバイス２０はまた、受信された信号を処理し、結果として現れる処理された信号を１つ以上の他のデバイスへ供給するよう、且つ、制限なしに、ＤＶＤプレイヤー、ＶＣＲ、ＰＶＲ、ＨＤＲ、ＨＶＲ、ブルーレイプレイヤー、又は記憶デバイスのような、他のデバイスから信号を受信するよう作動するか、又はそのように構成される。
【００２９】
電子デバイス２０は、制限なしに、カメラ（図示せず。）のような１つ又は２つの検出器を備えてよい。１つの検出器は、ディスプレイ３０の前の領域を見るものであり、他の検出器は、ディスプレイ３０の後ろの領域を見るものである。本発明の実施形態の原理に従って、電子デバイス２０は、一方又は両方のカメラを用いて周辺光条件を検出し、検出された周辺光条件に対応する記憶された表示設定がメモリに存在するかどうかを判定し、対応する記憶された表示設定が存在しない場合に、対応する記憶された表示設定としてユーザに表示設定を入力するように要求し、対応する記憶された表示設定に応じてディスプレイ３０の表示設定を調整するよう作動するか、又はそのように構成される。ユーザによって入力された表示設定は、検出された周辺光条件に対応する表示設定としてメモリに記憶される。
【００３０】
電子デバイス２０は、ユーザが表示設定を入力するためのオンスクリーンのメニューを提供するよう更に作動するか、又はそのように構成される。電子デバイス２０は、検出された周辺光条件に対応する記憶された表示設定がメモリに存在しないと決定することに応答して、オンスクリーンのメニューを表示してよい。
【００３１】
一実施形態において、電子デバイス２０は、たとえ対応する表示設定がメモリに存在しないとしても、異なる周辺光に応じて表示設定の自動選択を可能にすべきかどうかをユーザが選択できるようにするよう作動するか、又はそのように構成される。
【００３２】
ディスプレイ３０は、制限なしに、ＬＣＤ、ＯＬＥＤ、電子インク、及びプラズマのような、いかなるディスプレイであってもよく、ディスプレイは、ＴＶ、ＰＣ、他のテレビジョン信号受信機の一部であってよい。
【００３３】
表示設定は、制限なしに、ピクチャモード（例えば、標準、映画、鮮明（vivid））、コントラスト若しくはピクチャ、明度（brightness）、色、濃淡（tint）、鮮明さ（sharpness）、及び色温度のような、パラメータを含んでよい。ＬＣＤディスプレイについて、それはバックライト調整を更に含んでよく、プラズマディスプレイについて、それはセル光調整を含んでよい。テレビ受像機は、出荷時設定であるべきデフォルトの表示設定を通常は有し、ユーザが表示設定を変更する方法を提供する。テレビ受像機は、テレビ受像機に予め含まれているアルゴリズムを用いて表示設定に従ってピクチャをレンダリングする。
【００３４】
図２を参照すると、本発明の例となる実施形態に従う図１の電子デバイス２０の更なる詳細を与える図が示されている。図２の電子デバイス２０は、フロントパネルアセンブリ（ＦＰＡ）２１のようなフロントパネル手段と、増幅器２２のような増幅手段と、Ｉ／Ｏブロック２３のような入力／出力（Ｉ／Ｏ）手段と、プロセッサ２４のような処理手段と、フロントカメラ２６及び／又はリアカメラ２７のような周辺光条件検出器と、メモリ２５のようなメモリ手段とを有する。図２の上記の要素のいくつかは、集積回路（ＩＣ）を用いて具現されてよく、いくつかの要素は、例えば、１つ以上のＩＣ上に含まれてよい。記載の明りょうさのために、特定の制御信号、電力信号及び／又は他の要素のような、電子デバイス２０に関連する特定の従来要素は、図２では示されなくてよい。
【００３５】
ＦＰＡ２１は、ユーザ入力デバイス１０からユーザ入力を受け取り、ユーザ入力に対応する信号を増幅器２２に出力するよう作動するか、又はそのように構成される。例となる実施形態に従って、ＦＰＡ２１は、制限なしに、ＩＲ及び／又はＦＲ信号のような信号を、ユーザ入力デバイス１０から受信し、増幅器２２へ出力される対応する信号を生成する。増幅器２２は、プロセッサ２４への出力のために、ＦＰＡ２１から供給された信号を増幅するよう作動する。
【００３６】
Ｉ／Ｏブロック２３は、電子デバイス２０のＩ／Ｏ機能を実行するよう作動するか、又はそのように構成される。例となる実施形態に従って、Ｉ／Ｏブロック２３は、オーディオ、ビデオ及び／又はデータ信号のような信号をアナログ及びデジタル変調フォーマットにおいて、ケーブル、地上、衛星、インターネット及び／又は他の信号源のような、１つ以上のブロードキャスト信号源から受信するよう作動する。図２で明示的に示されていないが、Ｉ／Ｏブロック２３は、所与のブロードキャスト信号源から信号を受信するよう夫々設計された複数の入力端子を含んでよい。例えば、Ｉ／Ｏブロック２３は、ケーブル、アンテナ（すなわち、地上）、衛星、インターネット及び／又は他の信号源から信号を受信する別個の入力端子を含んでよい。Ｉ／Ｏブロック２３は、処理された信号を電子デバイス２０に接続されている１つ以上の他のデバイスへ出力するよう、且つ、そのようなデバイスから信号を受信するよう更に作動する。電子デバイス２０に接続されているデバイスは、ＤＶＤプレイヤー、ＶＣＲ、ＰＶＲ、ＨＤＲ、ＨＶＲ、ブルーレイプレイヤー、及び／又は記憶デバイスを含んでよい。デバイスは、有線及び／又は無線でＩ／Ｏブロック２３へ接続されてよい。
【００３７】
プロセッサ２４は、電子デバイス２０の様々な信号処理及び制御機能を実行するよう作動するか、又はそのように構成される。例となる実施形態に従って、プロセッサ２４は、チャネルチューニング、アナログ及びデジタル変調、並びに他の機能を含む機能を実行することによって、Ｉ／Ｏブロック２３から供給されたオーディオ、ビデオ及び／又はデータ信号を処理し、それにより、オーディオ、ビデオ及び／又はデータコンテンツを表すデータを生成する。そのような処理機能から生成されたデータは、更なる処理（例えば、ＭＰＥＧ復号化、など）及び出力のために供給されて、例えば、表示デバイス３０によって、受け取られてよい。また、例となる実施形態に従って、プロセッサ２４は、ユーザ入力デバイス１０を介して与えられるユーザ入力を検出し処理し、そして、そのようなユーザ入力に応答して電子デバイス２０の他の要素（図２で示されていない要素を含む。）を制御するようそれ自身の動作を制御し及び／又は制御信号を出力してよい。
【００３８】
プロセッサ２４は、周辺光の条件を自動的に検出し、検出された周辺光条件に対応する記憶された表示設定がメモリ２５に存在するかどうかを判定し、対応する記憶された表示設定が存在しない場合に、対応する記憶された表示設定としてユーザに表示設定を入力するように要求し、対応する記憶された表示設定に応じてディスプレイの表示設定を調整するソフトウェアコードを実行するよう更に作動するか、又はそのように構成される。プロセッサ２４は、ユーザによって入力された表示設定を、検出された周辺光条件に対応する記憶された表示設定としてメモリ２５に記憶するよう更に作動するか、又はそのように構成される。ユーザが所定のインターバル内で表示設定を入力し損なう場合に、プロセッサ２４は、所定のルールを用いて得られた表示設定を使用してよい。例えば、プロセッサ２４は、出荷時の表示設定又は現在の設定を使用するか、あるいは、単に、フロント色温度が利用可能である場合には、検出されたフロント色温度、及びフロント色温度が利用可能でない場合には、検出されたリア色温度と同じか又は類似しているよう色温度を設定してよい。
【００３９】
プロセッサ２４は、ディスプレイ３０の前の周辺光条件の少なくとも明度及び色温度を検出するために、フロントカメラ２６を制御するよう更に作動するか、又はそのように構成される。プロセッサ２４は、明度及び色温度の情報を得るために、従来の方法を用いて周期的にフロントカメラ２６によって捕捉された静止画又は動画を解析してよい。明度は、光度（luminous  intensity）と表現されてよい。プロセッサ２４は、従来の画像認識方法を用いて室内灯がオン又はオフであるかどうかを判定し、そして、ディスプレイ３０の前の周辺光条件（フロント周辺光条件）の部分として室内灯の状態を使用するために、フロントカメラ２６によって捕捉されたピクチャを解析するよう作動するか、又はそのように構成されてよい。これは、室内灯の状態が、見る者によって見られる色品質に対する影響を有するからである。プロセッサ２４は、従来の画像認識方法を用いて窓が部屋に存在するかどうかを判定し、そして、ディスプレイ３０の前の周辺光条件（フロント周辺光条件）の部分として窓の有無を使用するために、フロントカメラ２６によって捕捉されたピクチャを解析するよう作動するか、又はそのように構成されてよい。これは、窓の有無が、見る者によって認識される色品質に対する影響を有するからである。
【００４０】
一実施形態において、フロントカメラ２６及び／又はリアカメラ２７は、例えば、Ｗｉ−Ｆｉ（登録商標）リンク、Ｂｌｕｅｔｏｏｔｈ（登録商標）リンク、又は他の無線リンクを通じて無線によりプロセッサ２４と通信することができるスマートカメラである。ユーザは、この実施形態において、一方又は両方のカメラを取り外し、周辺光条件のより良い検出のために、それらを所望の場所へ移動してよい。
【００４１】
周辺光条件は、ディスプレイ３０の前の周辺光条件（フロント照明条件）だけであってよいが、それは、ディスプレイ３０の裏面での周辺光条件（リア周辺光条件）を含んでよい。これは、リア周辺光条件も、見る者によって認識される色品質に対する影響を有するからである。そのようなものとして、プロセッサ２４は、ディスプレイ３０の裏面での周辺光条件の少なくとも明度及び色温度を検出するために、リアカメラ２７を制御するよう更に作動するか、又はそのように構成されてよい。プロセッサ２４は、明度及び色温度の情報を得るために、従来の方法を用いて周期的にリアカメラ２７によって捕捉された静止画又は動画を解析してよい。
【００４２】
プロセッサ２４は、フロント周辺光条件若しくはリア周辺光条件のみ又は両方が周辺光条件として使用されるかどうかを、フロント周辺光条件のみが周辺光条件として使用される場合には、室内灯の状態及び窓の状態が含まれるべきかどうかをユーザが入力するために、例えば、オンスクリーン表示（ＯＳＤ）の形で、ユーザインターフェイスを提供するよう作動するか、又はそのように構成されてよい。更に、ＯＳＤユーザインターフェイスは、メモリ２５に記憶されている対応する表示設定がない場合に、電子デバイス２０が周辺光条件に応じて表示設定を自動的に調整するかどうかをユーザに尋ねる選択肢を提供してよい。
【００４３】
更には、日中及び夜間における知覚的効果は異なるので、プロセッサ２４は、周辺光条件の部分として時間（例えば、日中又は夜間）を記憶してよい。プロセッサ２４は、当該技術でよく知られているように、現在時間を示す電子デバイス２０内のリアルクロック（図示せず。）に従って、時間を検出してよい。
【００４４】
メモリ２５は、電子デバイス２０のデータ記憶機能を実行するよう作動するか、又はそのように構成される。例となる実施形態に従って、メモリ２５は、制限なしに、ソフトウェアコード、電子番組ガイドデータ、ユーザ嗜好データ、記録されたオーディオ／ビデオ信号、記録されたビデオ専用信号、及び／又は他のデータを含むデータを記憶する。メモリ２５は、ハードディスクドライブ、ＤＶＤドライブのような、揮発性及び／又は不揮発性のメモリ領域及び記憶デバイスを含んでよい。
【００４５】
これより図３を参照すると、本発明の実施形態の原理に従って、周辺光条件に応じてディスプレイの表示設定を調整する、例となるプロセス３００が示されている。もっぱら例及び説明のために、図３のステップは、上述された図１及び２の例となる実施形態を特に参照して以降で説明されてよい。ステップ３０５で、電子デバイス２０のプロセッサ２４は、周辺光の条件を検出するよう作動するか、又はそのように構成される。上述されたように、周辺光条件は、フロント周辺光条件、リア周辺光条件、又は両方であってよい。周辺光条件は、制限なしに、色温度及び光度のような、情報を含む。色温度及び光度は、プロセッサ２４がカメラによって捕捉された静止画又は動画を解析することによって取得されてよいが、それらは、色温度センサ及び輝度センサの組によって同様に取得され得る。周辺光条件は、室内灯の状態、及び／又は部屋に窓があるかどうか、を更に含んでよい。図２の実施形態では、カメラが使用され且つ好ましい。プロセッサ２４は、制限なしに、パターン認識のような、従来の画像処理プロセスを使用することによって、室内灯の存在及び／又は窓の存在を検出するよう構成されるか、又はそのように作動してよい。プロセッサ２４は、室内灯の画像の光度を閾値と比較することによって、室内灯のオン／オフ状態を検出するよう更に構成されるか、又はそのように作動してよい。光度が閾値を上回る場合には、プロセッサ２４は、室内灯がオンであると、そうでない場合にはオフであると決定するよう構成されるか、又はそのように作動する。
【００４６】
ステップ３１０で、プロセッサ２４は、検出された周辺光条件に対応する記憶された表示設定がメモリ２５に存在するかどうかを判定するよう作動するか、又はそのように構成される。図４は、メモリ２５に記憶されている記憶された表示設定（図示せず。）に夫々関連する、周辺光条件がフロント周辺光条件である場合の記憶された周辺光条件の例を示す。列４１０及び４２０は、夫々、単位符号Ｋを有するケルビン単位でのフロント周辺色温度、及び単位符号ｃｄを有するカンデラ単位でのフロント光度である。図４において、記憶された表示設定（図示せず。）を夫々有する４つのフロント周辺光条件４７１〜４７４が示されている。検出された周辺光条件が４つのうちの１つと同じである場合には、メモリ２５には、対応する記憶された表示設定が存在する。一実施形態において、検出された色温度が、記憶された周辺光条件の色温度を中心点として有する予め定義された範囲内にあり、且つ、検出された光度が、記憶された周辺光条件の光度を中心点として有する予め定義された範囲内にある限り、プロセッサ２４は、記憶された周辺光条件の記憶された表示設定が検出された周辺光条件に対応すると決定するよう作動するか、又はそのように構成される。色温度の予め定義された範囲は、記憶された表示設定の色温度±所定の色温度許容量（例えば、制限なしに、２５０Ｋ）として定義されてよく、予め定義された光度範囲は、記憶された周辺光条件の光度±所定の光度許容量（例えば、制限なしに、１０ｃｄ）として定義されてよい。許容量を使用する利点は、プロセッサ２４が異なる周辺光条件に応じて異なる表示設定を処理及び構成するよう求められる割り込みの回数を減らすことである。それらはまた、ユーザが見ることを中断する回数を減らす効果を有する。リア周辺光条件が周辺光条件として使用される場合に、動作は同様である。
【００４７】
図５は、周辺光条件がフロント及びリア周辺光条件の組み合わせである場合の記憶された周辺光条件の例を示す。記憶された周辺光条件の夫々は、メモリ２５に記憶されている記憶された表示設定（図示せず。）に関連する。列５１０、５２０、５３０及び５４０は、夫々、フロント周辺色温度、フロント光度、リア周辺色温度、及びリア光度である。図５において、記憶された表示設定（図示せず。）を夫々有する４つのフロント周辺光条件５７１〜５７４が示されている。検出された周辺光条件が４つのうちの１つと同じである場合には、メモリ２５には、対応する記憶された表示設定が存在する。一実施形態において、検出された色温度が、記憶された周辺光条件の対応する色温度を中心点として有する予め定義された範囲内にあり、且つ、検出された光度が、記憶された周辺光条件の対応する光度を中心点として有する予め定義された範囲内にある限り、プロセッサ２４は、記憶された周辺光条件の記憶された表示設定が検出された周辺光条件に対応すると決定するよう作動するか、又はそのように構成される。範囲は、図４に関して先に説明された範囲として定義され得る。リア照明条件のために使用される範囲は、フロント照明条件がリア照明条件よりも大きい視覚的影響を有するので、フロント照明条件のために使用されるものとは異なってよい。
【００４８】
図６は、周辺光条件がフロント及びリア周辺光条件の組み合わせ、並びに室内灯の状態（例えば、室内灯のオン／オフ）、窓の状態（窓の有無）、及び時間（例えば、朝、午後、日中、又は夜間）のうちの１つ以上を含む場合の記憶された周辺光条件の例を示す。記憶された周辺光条件の夫々は、メモリ２５に記憶されている記憶された表示設定（図示せず。）に関連する。列６１０、６２０、６３０、６４０、６５０、６６０及び６６５は、夫々、フロント周辺色温度、フロント光度、リア周辺色温度、リア光度、室内灯の状態、窓の状態、及び時間（例えば、日中又は夜間）である。図６において、記憶された表示設定（図示せず。）を夫々有する４つのフロント周辺光条件６７１〜６７４が示されている。
【００４９】
検出された周辺光条件が４つのうちの１つと同じである場合には、メモリ２５には、対応する記憶された表示設定が存在する。一実施形態において、室内灯の状態及び窓の状態は、記憶された表示設定におけるそれらと同じでなければならいが、検出された色温度が、記憶された周辺光条件の対応する色温度を中心点として有する予め定義された範囲内にあり、且つ、検出された光度が、記憶された周辺光条件の対応する光度を中心点として有する予め定義された範囲内にある限り、プロセッサ２４は、記憶された周辺光条件の記憶された表示設定が検出された周辺光条件に対応すると決定するよう作動するか、又はそのように構成される。範囲は、図４及び５に関して先に説明された範囲として定義され得る。
【００５０】
図面に表されていないが、記憶された周辺光は、フロント若しくはリア周辺光条件、及び／又はリア照明条件、室内灯の状態、窓の状態、及び時間のうちの１つ以上を含んでよい。室内灯の状態は、１つ以上の室内灯の状態を含んでよく、窓の状態は、１つ以上の窓の状態を含んでよい。
【００５１】
検出された周辺光条件は、記憶された表示設定の少なくとも２つのエントリの範囲内にあってよいことが起こり得る点に留意されたい。そのシナリオでは、プロセッサ２４は、最も近い１つ以上の色温度又は最も近い１つ以上の光度を有するエントリに関連する表示設定を、対応する記憶された表示設定として選択する。他の実施形態では、プロセッサ２４は、検出された周辺光条件まで最短のユークリッド距離を有するエントリを選択する。プロセッサ２４は、夫々の候補エントリと検出された周辺光条件との間のユークリッド距離を計算し、最短のユークリッド距離を有するエントリを、対応する記憶された表示設定として選択する。この実施形態において、室内灯のオフ及びオン状態は０及び１の値を夫々有し、窓の無し及び有りは０及び１の値を夫々有し、日中及び夜間は０及び１の値を夫々有する。例えば、検出された周辺光条件がｔＫのフロント周辺色温度、ｕｃｏｄのフロント光度、ｖＫのリア周辺色温度、ｗｃｏｄのリア光度、ｘの室内灯状態、ｙの窓状態、及びｚの時間を含む場合に、図６におけるエントリ６７１と検出された周辺光条件との間のユークリッド距離は、（ｔ−２７００）の二乗、（ｕ−１０）の二乗、（ｖ−３０００）の二乗、（ｗ−１００）の二乗、（ｘ−０）の二乗、（ｙ−０）の二乗、及び（ｚ−０）の二乗の和の平方根である。他の実施形態において、プロセッサ２４は、２つの最も近いエントリの表示設定を補間し、補間された表示設定を用いてディスプレイの表示設定を調整するよう作動するか、又はそのように構成される。
【００５２】
一実施形態において、検出された周辺光条件の１つ以上のパラメータは、ユーザによって予め定義された重み係数によって調整される。
【００５３】
ステップ３１５で、対応する記憶された表示設定が存在しない場合に、プロセッサ２４は、対応する記憶された表示設定としてユーザに表示設定を入力するように要求するよう作動するか、又はそのように構成される。プロセッサ２４は、例えば、オンスクリーン表示（ＯＳＤ）の形で、対応する表示設定をユーザに入力するように求めるユーザインターフェイスを提供するよう作動するか、又はそのように構成されてよい。ユーザによって入力された表示設定は、検出された周辺光条件とともに、記憶された表示設定のデータベース（例えば、制限なしに、図４〜６で示されたもの）への追加エントリとして、プロセッサ２４によって格納される。
【００５４】
ＯＳＤメニューは、デフォルト設定を提供してよく、ユーザは、対応する記憶された表示設定を得るようデフォルト設定における各パラメータを変更してよい。例えば、図７は、コントラストフィールド７０２、明度フィールド７０４、色フィールド７０６、濃淡フィールド７０８、鮮明さフィールド７１０、色温度７１２、及びピクチャモードフィールド７１４を含む、例となるＯＳＤメニュー７００を示す。フィールド７０２、７０４、７０６、７０８、７１０及び７１２の夫々のデフォルトは約５０％である。ユーザは、リモートコントロール１０において左右の矢印ボタンを押すことによって、それらのフィールドの夫々を増大及び低減してよい。ピクチャモードフィールドに関して、デフォルトは標準（STANDARD）であり、ユーザは、シネマ（CINEMA）及び鮮明（VIVID）を繰り返し表示するために右又は左矢印ボタンを使用してよい。ユーザは、ユーザ入力デバイス１０において特定のボタンをアクティブにすること又はＯＳＤメニュー上でボタンを選択することによって、プロセッサ２４に、入力された表示設定を、対応する記憶された表示設定として記憶するように命令してよい。
【００５５】
ユーザが所定のインターバル内で表示設定を入力し損ねる場合に、プロセッサ２４は、所定のルールを用いて得られた表示設定を使用してよい。例えば、プロセッサ２４は、出荷時の表示設定又は現在の設定であるべきデフォルト設定を使用するか、あるいは、単に、フロント色温度が利用可能である場合には、検出されたフロント色温度、又はフロント色温度が利用可能でない場合には、検出されたリア色温度と同じか又は類似しているよう色温度を設定するよう作動するか、又はそのように構成される。例えば、プロセッサは、ディスプレイの色温度を、検出されたフロント又はリア色温度と同じか又はその予め定義された範囲内にあるように設定するよう作動するか、又はそのように構成されてよい。なお、プロセッサ２４は、自動設定された表示設定を記憶しない。それにより、プロセッサ２４が同様の周辺光条件を検出する場合に、プロセッサ２４は、対応する記憶された表示設定としてユーザに表示設定を入力するように要求するよう作動するか、又はそのように構成される。一実施形態において、デフォルトの表示設定を提示することに代えて、プロセッサ２４は、予め定義されたルールを用いてプロセッサ２４によって決定された色温度を含む表示設定を提示するよう作動するか、又はそのように構成され、ユーザは、提示された設定においていかなるパラメータも自由に変更することができる。
【００５６】
プロセッサ２４がビデオを再生している場合に、プロセッサ２４は、ＯＳＤユーザインターフェイスの表示中に、ユーザ好みの設定に応じて、再生が続くことを許可してよく、あるいは、ＯＳＤユーザインターフェイスが解除されるまで再生を中断してよい。
【００５７】
一実施形態において、電子デバイス２００は、ユーザによって入力された表示設定の１つ以上をユーザがクリアするために、ＯＳＤのようなユーザインターフェイスを提供する。ユーザによって入力された表示設定の１つをクリアするためにユーザがこのインターフェイスを使用する場合に、対応する周辺光条件は、新しい周辺光条件として扱われ、プロセッサ２４は、クリア後に最初に直面した場合にこの周辺光条件のための表示設定を入力するようにユーザに要求する。
【００５８】
他の実施形態において、電子デバイス２０は、記憶された表示設定を変更するユーザインターフェイスを提供してよい。このユーザインターフェイスは、全ての記憶された表示設定を表示し、ユーザは、それらのうちの１つを変更のために選択することができる。
【００５９】
ステップ３２０で、プロセッサ２４は、対応する記憶された表示設定に応じてディスプレイの表示設定を調整するよう作動するか、又はそのように構成される。新しい表示設定に従うピクチャ又はビデオのレンダリングは、電子デバイス２０に既に含まれている従来の画像処理技術に従って、電子デバイス２０によって行われる。
【００６０】
一例として、電子デバイス２０がテレビ受像機である場合に、店にあるテレビ受像機はデフォルトの表示設定しか含まない。デフォルトの表示設定は、店舗における周辺光条件に最も良く適した出荷時設定であってよい。ユーザが新しいテレビ受像機を家に持ち帰り、テレビ受像機を起動する場合に、テレビ受像機は、店舗とは異なる新しい周辺光条件を検出する。ユーザが室内灯を点ける場合に、テレビ受像機は更なる他の異なった周辺光条件を検出する。いずれの場合にも、テレビ受像機は、検出された周辺光条件に対応する記憶された表示設定がメモリ２５に存在するかどうかを判定するよう作動するか、又はそのように構成される。対応する記憶された表示設定が存在しない場合に、テレビ受像機は、対応する記憶された表示設定としてユーザに表示設定を入力するように要求するよう作動するか、又はそのように構成される。ある時点で、全ての周辺光条件のための表示設定がユーザによって入力され、テレビ受像機は、対応する記憶された表示設定に応じてディスプレイを自動的に調整することができる。上述されたように、テレビ受信機は、ユーザによって入力された表示設定を変更又はクリアするためのユーザインターフェイスをユーザに提供してよい。
【００６１】
本発明は、例となる実施形態を用いて記載されてきたが、本発明は、本開示の主旨及び適用範囲内で更に変更され得る。本願は、従って、その一般原理を用いて本発明のいかなる変形、使用、又は適応もカバーするよう意図される。更には、本願は、本開示からのそのような逸脱を、本発明が属しており且つ添付の特許請求の範囲の制限内にある、当該技術における既知の又は通常の実施内にあるものとしてカバーするよう意図される。
【図１】
2017521691.tif 000003
【図２】
2017521691.tif 000004
【図３】
2017521691.tif 000005
【図４】
2017521691.tif 000006
【図５】
2017521691.tif 000007
【図６】
2017521691.tif 000008
【図７】
2017521691.tif 000009
【国際調査報告】
2017521691.tif 000010
2017521691.tif 000011
2017521691.tif 000012
2017521691.tif 000013